(57)【要約】【課題】コネクタ装置を用いて機器を通信ネットワークなどに接続する場合のセキュリティを向上させること。【解決手段】コネクタ装置１は、雄コネクタ２と、雄コネクタ２と嵌合する雌コネクタ３と、少なくとも雄コネクタ２と雌コネクタ３との嵌合が解除される際に発音する発音部４３と、を備える。雄コネクタ２と雌コネクタ３との嵌合が解除される際に発音部４３が発音するので、悪意のある第三者が雄コネクタ２と雌コネクタ３との嵌合を不正に解除しようとしたとき、その音によって第三者に警告することができる。これにより第三者に警戒心を抱かせ、不正な行為を思い留まらせるきっかけとすることができる。あるいは、周囲に人がいる場合は解除しようとしていることが音によって周囲に伝わるので、悪意のある第三者に不正な解除を思い留まらせる抑止力となる。このため、コネクタ装置１を用いて機器を通信ネットワークなどに接続する場合のセキュリティが向上する。【選択図】図２
2017033744.tif 000002
【特許請求の範囲】
【請求項１】
雄コネクタと、
前記雄コネクタと嵌合する雌コネクタと、
少なくとも前記雄コネクタと前記雌コネクタとの嵌合が解除される際に発音する発音部と、
を備えるコネクタ装置。
【請求項２】
前記雄コネクタ及び前記雌コネクタのうちいずれか一方に設けられており、少なくとも前記雄コネクタと前記雌コネクタとの嵌合が解除される際に動く可動部材を備え、
前記発音部は、前記可動部材の動きに応じて発音する、請求項１に記載のコネクタ装置。
【請求項３】
前記雄コネクタ及び前記雌コネクタのうちいずれか一方のコネクタには弾性変形可能なロック部材が設けられているとともに、他方のコネクタには前記ロック部材が係合する係合部が設けられており、
当該コネクタ装置は前記ロック部材が弾性変形して前記係合部に係合することによって前記雄コネクタと前記雌コネクタとが嵌合した状態でロックされるものであり、
前記可動部材は前記ロック部材であり、前記発音部は前記ロック部材が弾性変形したときに前記ロック部材に押圧されて発音する、請求項２に記載のコネクタ装置。
【請求項４】
前記発音部は空気袋と鳴動部とを有し、前記ロック部材が弾性変形すると前記空気袋が前記ロック部材に押圧されて空気が吹き出され、吹き出された空気によって前記鳴動部が鳴動する、請求項３に記載のコネクタ装置。
【請求項５】
前記鳴動部は空気吹き出し口を有しており、前記空気吹き出し口が開封可能な封口部材によって塞がれている、請求項４に記載のコネクタ装置。
【請求項６】
前記雄コネクタ及び前記雌コネクタのうちいずれか一方のコネクタには車両に搭載されている通信ケーブルが接続されており、他方のコネクタは前記通信ケーブルを介して前記車両の他の機器と通信する機器に設けられている、請求項１乃至請求項５のいずれか一項に記載のコネクタ装置。
【発明の詳細な説明】
【技術分野】
【０００１】
雄コネクタと雌コネクタとを備えるコネクタ装置に関する。
【背景技術】
【０００２】
従来、雄コネクタと、当該雄コネクタと嵌合する雌コネクタとを備えるコネクタ装置が知られている（例えば、特許文献１参照）。そして、従来、このようなコネクタ装置を用いて機器を通信ネットワークや電源などに接続することが行われている。
【先行技術文献】
【特許文献】
【０００３】
【特許文献１】特開２００１−１１０５２３号公報
【発明の概要】
【発明が解決しようとする課題】
【０００４】
ところで、コネクタ装置を用いて機器を通信ネットワークや電源などに接続する場合、悪意のある第三者によって通信データが不正に取得されてしまったり、あるいは機器そのものが盗まれてしまったりする危険がある。
例えば、コネクタ装置を用いて機器を通信ネットワークに接続する場合は、雄コネクタと雌コネクタとの嵌合が解除されてそれらの間に不正な機器が接続され、それにより通信データが取得されてしまう危険がある。また、コネクタ装置によって機器と電源とを接続する場合は、雄コネクタと雌コネクタとの嵌合が解除されて機器そのものが盗まれてしまう危険がある。
【０００５】
本明細書では、コネクタ装置を用いて機器を通信ネットワークなどに接続する場合のセキュリティを向上させる技術を開示する。
【課題を解決するための手段】
【０００６】
本明細書で開示するコネクタ装置は、雄コネクタと、前記雄コネクタと嵌合する雌コネクタと、少なくとも前記雄コネクタと前記雌コネクタとの嵌合が解除される際に発音する発音部と、を備える。
【０００７】
上記のコネクタ装置によると、雄コネクタと雌コネクタとの嵌合が解除される際に発音部が発音するので、悪意のある第三者が雄コネクタと雌コネクタとの嵌合を解除しようとしたとき、その音によって第三者に警告することができる。これにより第三者に警戒心を抱かせ、不正な行為を思い留まらせるきっかけとすることができる。あるいは、周囲に人がいる場合は解除しようとしていることが音によって周囲に伝わるので、第三者に不正な解除を思い留まらせる抑止力となる。このため上記のコネクタ装置によると、コネクタ装置を用いて機器を通信ネットワークなどに接続する場合のセキュリティが向上する。
【０００８】
また、前記雄コネクタ及び前記雌コネクタのうちいずれか一方に設けられており、少なくとも前記雄コネクタと前記雌コネクタとの嵌合が解除される際に動く可動部材を備え、前記発音部は、前記可動部材の動きに応じて発音してもよい。
【０００９】
上記のコネクタ装置によると、可動部材の動きに応じて発音部が発音するので、雄コネクタと雌コネクタとの嵌合が解除される際に発音することができる。
【００１０】
また、前記雄コネクタ及び前記雌コネクタのうちいずれか一方のコネクタには弾性変形可能なロック部材が設けられているとともに、他方のコネクタには前記ロック部材が係合する係合部が設けられており、当該コネクタ装置は前記ロック部材が弾性変形して前記係合部に係合することによって前記雄コネクタと前記雌コネクタとが嵌合した状態でロックされるものであり、前記可動部材は前記ロック部材であり、前記発音部は前記ロック部材が弾性変形したときに前記ロック部材に押圧されて発音してもよい。
【００１１】
ロック部材は雄コネクタと雌コネクタとの嵌合が解除される際に必ず動くので、ロック部材を可動部材とすると、雄コネクタと雌コネクタとの嵌合が解除される際に発音することができる。
【００１２】
また、前記発音部は空気袋と鳴動部とを有し、前記ロック部材が弾性変形すると前記空気袋が前記ロック部材に押圧されて空気が吹き出され、吹き出された空気によって前記鳴動部が鳴動してもよい。
【００１３】
上記のコネクタ装置によると、アンプやスピーカなどを用いて電気的に発音する場合に比べて簡素な構成で発音することができる。
【００１４】
また、前記鳴動部は空気吹き出し口を有しており、前記空気吹き出し口が開封可能な封口部材によって塞がれていてもよい。
【００１５】
仮に空気吹き出し口が塞がれていないとすると、コネクタ装置の出荷先の工場で作業者が雄コネクタと雌コネクタとを嵌合させる際にも発音部が発音してしまい、騒音となってしまう。上記のコネクタ装置によると、鳴動部の空気吹き出し口が封口部材によって塞がれているので、出荷先の工場で雄コネクタと雌コネクタとを嵌合させる際には発音部が発音せず、騒音を抑制できる。そして、それらを嵌合させた後に作業者が封口部材を開封することにより、雄コネクタと雌コネクタとの嵌合が解除される際には発音部が発音するようにすることができる。
【００１６】
また、前記雄コネクタ及び前記雌コネクタのうちいずれか一方のコネクタには車両に搭載されている通信ケーブルが接続されており、他方のコネクタは前記通信ケーブルを介して前記車両の他の機器と通信する機器に設けられていてもよい。
【００１７】
上記のコネクタ装置によると、車両に敷設されている通信ネットワークにコネクタ装置を用いて機器を接続する場合のセキュリティが向上する。
【発明の効果】
【００１８】
本明細書で開示するコネクタ装置によれば、コネクタ装置を用いて機器を通信ネットワークなどに接続する場合のセキュリティを向上させることができる。
【図面の簡単な説明】
【００１９】
【図１】実施形態１に係るコネクタ装置、及び、車両に敷設されている通信ネットワークを示す模式図
【図２】雄コネクタ及び雌コネクタの断面図
【図３】雄コネクタと雌コネクタとを嵌合させる際に空気袋が可動部材に押圧された状態を示す断面図
【図４】嵌合した状態の雄コネクタ及び雌コネクタを示す断面図
【図５】雄コネクタと雌コネクタとの嵌合を解除させる際に空気袋が可動部材に押圧された状態を示す断面図
【図６】実施形態２に係るコネクタ装置の断面図
【図７】コネクタ装置の発音部周辺の部分拡大図
【発明を実施するための形態】
【００２０】
＜実施形態１＞
実施形態１を図１ないし図５に基づいて説明する。なお、以降の説明において上下方向及び前後方向とは図２に示す上下方向及び前後方向を基準とする。
【００２１】
先ず、図１を参照して、実施形態１に係るコネクタ装置１の概略について説明する。コネクタ装置１は自動車などの車両に敷設されている通信ネットワーク４Ａにゲートウェイ５を接続するためのものである。ゲートウェイ５は機器の一例である。
具体的には、本実施形態に係る車両には互いに異なる通信規格に従って通信する二つの通信ネットワーク４Ａ及び４Ｂが敷設されており、それら二つの通信ネットワーク４Ａ及び４ＢにそれぞれＥＣＵ７（Ｅｎｇｉｎｅ  Ｃｏｎｔｒｏｌ  Ｕｎｉｔ）などの車載装置が接続されている。車載装置は車両の他の機器の一例である。そして、それら二つの通信ネットワーク４Ａ及び４Ｂがゲートウェイ５を介して相互に通信可能に接続される。ゲートウェイ５は通信規格が異なる二つの通信ネットワークの間で通信プロトコルの変換などを行う中継装置である。
【００２２】
コネクタ装置１は、ゲートウェイ５に取り付けられている雄コネクタ２と、通信ネットワーク４Ａの通信ケーブル８が接続されている雌コネクタ３とを備えており、雄コネクタ２と雌コネクタ３とが嵌合することによってゲートウェイ５が通信ネットワーク４Ａに接続される。
【００２３】
（１）コネクタ装置の構成
図２に示すように、雄コネクタ２は、合成樹脂製の小フード部２１、小フード部２１の奥壁に突設されている雄側端子金具２２などを備えている。図２では雄側端子金具２２を一つしか示していないが、雄側端子金具２２は紙面垂直方向に複数設けられている。
【００２４】
雌コネクタ３は、端子収容部３１、小フード部２１の外側に嵌合される大フード部３２、雄側端子金具２２に接触する雌側端子金具３３、端子収容部３１に前方から嵌め込まれて雌側端子金具３３の抜けを防止するリテーナ３４であって、小フード部２１の内側に嵌合されるリテーナ３４、端子収容部３１の外周に嵌着されて端子収容部３１と小フード部２１との間をシールする合成樹脂製のＯリング３５などを備えている。
雌側端子金具３３も雄側端子金具２２に対応して紙面垂直方向に複数設けられている。各雌側端子金具３３はそれぞれ端子収容部３１の内側に後方から挿入されており、後端部に通信ケーブル８が接続されている。
【００２５】
また、コネクタ装置１は、雄コネクタ２と雌コネクタ３とを嵌合した状態でロックするロック機構、及び、少なくとも雄コネクタ２と雌コネクタ３との嵌合が解除される際に発音する発音部４３を備えている。以下、ロック機構、及び、発音部４３について説明する。
【００２６】
（１−１）ロック機構
ロック機構は、雄コネクタ２に設けられている係合部２３と、雌コネクタ３に設けられている弾性変形可能なロックアーム３７とを備えている。ロックアーム３７はロック部材及び可動部材の一例である。
係合部２３は雄コネクタ２の小フード部２１の上面に突設されている。係合部２３は前面が上下方向に沿ってほぼ真っ直ぐな面とされるのに対し、後面が後方へ向かって急な下り勾配をなすテーパ面とされている。
【００２７】
ロックアーム３７は雌コネクタ３の端子収容部３１の上面に設けられており、前後方向に細長い形状をなしている。大フード部３２の上壁にはロックアーム３７の上方が切り欠かれて逃し溝３８が形成されており、ロックアーム３７は逃し溝３８から上方に露出している。
ロックアーム３７は長さ方向のほぼ中央の下面が連結部３９を介して端子収容部３１の上面に連結されており、連結部３９が支点となってシーソー状に弾性変形可能とされている。ロックアーム３７は連結部３９を基準にして前側がロック部４０、後側が作業者によって押圧操作される押圧操作部４１となっている。ロック部４０には前端から少し後ろ側の位置に係合部２３が嵌る開口４２が設けられている。
【００２８】
（１−２）発音部
発音部４３はゴム製の空気袋４４と、空気袋４４に一体に設けられている鳴動部４５とを有している。空気袋４４は押圧操作部４１の下方に設けられており、端子収容部３１の上面に接着剤などによって固定されている。なお、空気袋４４は押圧操作部４１の下面に固定されていてもよい。鳴動部４５は空気袋４４の開口縁部から延出する二枚のゴム板が重なり合ったものである。空気袋４４が押圧されて空気が吹き出されるとその空気によって二枚のゴム板が振動し、それにより鳴動部４５が鳴動して「ブー」といった音が発音される。
【００２９】
（２）雄コネクタと雌コネクタとの嵌合、及び、嵌合の解除
先ず、図２、図３及び図４を参照して、雄コネクタ２と雌コネクタ３との嵌合について説明する。図２の矢線４６で示すように、雄コネクタ２と雌コネクタ３との嵌合では、先ず、雌コネクタ３が雄コネクタ２に向けて押し込まれる。雌コネクタ３が雄コネクタ２に向けて押し込まれるとロック部４０の前端が係合部２３に突き当たる。ロック部４０の前端が係合部２３に突き当たると、図３に示すように、係合部２３を乗り越えさせるために作業者によって押圧操作部４１が下方に押し込まれる。ここで、図３において鎖線４７は作業者の指を示している。
【００３０】
押圧操作部４１が下方に押し込まれるとロックアーム３７が弾性変形してロック部４０が上昇するとともに、発音部４３の空気袋４４が押圧操作部４１によって押圧される。それにより鳴動部４５が鳴動する。つまり、実施形態１に係るコネクタ装置１は、雄コネクタ２と雌コネクタ３とを嵌合させる際にも発音部４３が発音する。
【００３１】
そして、押圧操作部４１が下方に押し込まれた状態で雌コネクタ３が更に押し込まれ、図４に示すようにロックアーム３７が弾性力によって元の姿勢に復帰することにより、係合部２３がロック部４０の開口４２に嵌る。これにより雄コネクタ２と雌コネクタ３とが嵌合した状態でロックされる。
【００３２】
次に、図５を参照して、雄コネクタ２と雌コネクタ３との嵌合の解除について説明する。図５に示すように、雄コネクタ２と雌コネクタ３との嵌合の解除では、先ず、ロックを解除するために作業者によって押圧操作部４１が下方に押し込まれる。押圧操作部４１が下方に押し込まれるとロック部４０が上昇してロックが解除されるとともに、発音部４３の空気袋４４が押圧操作部４１によって押圧される。それにより鳴動部４５が鳴動する。すなわち、雄コネクタ２と雌コネクタ３との嵌合が解除される際に発音部４３が発音する。そして、押圧操作部４１が下方に押し込まれた状態で雌コネクタ３が後方に引き抜かれることにより、雄コネクタ２と雌コネクタ３との嵌合が解除される。
【００３３】
（３）実施形態の効果
以上説明した実施形態１に係るコネクタ装置１によると、雄コネクタ２と雌コネクタ３との嵌合が解除される際に発音部４３が発音するので、悪意のある第三者が雄コネクタ２と雌コネクタ３との嵌合を解除しようとしたとき、その音によって第三者に警告することができる。これにより第三者に警戒心を抱かせ、不正な行為を思い留まらせるきっかけとすることができる。あるいは、周囲に人がいる場合は解除しようとしていることが音によって周囲に伝わるので、第三者に不正な解除を思い留まらせる抑止力となる。このためコネクタ装置１によると、コネクタ装置１を用いてゲートウェイ５を通信ネットワーク４Ａに接続する場合のセキュリティが向上する。
【００３４】
更に、コネクタ装置１によると、雄コネクタ２と雌コネクタ３との嵌合が解除される際に動く可動部材（ここではロックアーム３７）の動きに応じて発音部４３が発音するので、雄コネクタ２と雌コネクタ３との嵌合が解除される際に発音することができる。
【００３５】
更に、コネクタ装置１によると、可動部材はロックアーム３７であり、発音部４３はロックアーム３７が弾性変形したときにロックアーム３７に押圧されて発音する。ロックアーム３７は雄コネクタ２と雌コネクタ３との嵌合が解除される際に必ず動くので、ロックアーム３７を可動部材とすると、雄コネクタ２と雌コネクタ３との嵌合が解除される際に発音することができる。
【００３６】
更に、コネクタ装置１によると、ロックアーム３７が弾性変形すると空気袋４４が押圧されて空気が吹き出され、吹き出された空気によって鳴動部４５が鳴動するので、アンプやスピーカなどを用いて電気的に発音する場合に比べて簡素な構成で発音することができる。
【００３７】
更に、コネクタ装置１によると、雌コネクタ３には車両に搭載されている通信ケーブル８が接続されており、雄コネクタ２はゲートウェイ５に設けられているので、車両に敷設されている通信ネットワーク４Ａにコネクタ装置１を用いてゲートウェイ５を接続する場合のセキュリティが向上する。
【００３８】
＜実施形態２＞
次に、実施形態２を図６ないし図７によって説明する。実施形態２に係るコネクタ装置１０１も通信ネットワーク４Ａにゲートウェイ５を接続するためのものである。ただし、実施形態２に係るコネクタ装置１０１は、コネクタ装置１０１の製造メーカから車両メーカにコネクタ装置１０１が出荷される時点では発音部１３０（図６参照）が発音しないようにされている。
【００３９】
（１）コネクタ装置の構成
図６に示すように、コネクタ装置１０１は雄コネクタ１０２と雌コネクタ１０３とを備えている。雄コネクタ１０２はフード部１１１、フード部１１１の奥壁に突設されている雄側端子金具１１２などを備えている。
雌コネクタ１０３はフード部１１１の内側に嵌合される端子収容部１２１、雄側端子金具１１２に接触する雌側端子金具１２２などを備えている。雌側端子金具１２２は端子収容部１２１の内側に後方から挿入されており、後端部に通信ケーブル８が接続されている。
【００４０】
また、コネクタ装置１０１は、雄コネクタ１０２と雌コネクタ１０３とを嵌合した状態でロックするロック機構、及び、少なくとも雄コネクタ１０２と雌コネクタ１０３との嵌合が解除される際に発音する発音部１３０を備えている。
【００４１】
（１−１）ロック機構
ロック機構は、雄コネクタ１０２に設けられている係合部１１３と、雌コネクタ１０３に設けられている弾性変形可能なロックアーム１２３とを備えている。ロックアーム１２３はロック部材及び可動部材の一例である。
【００４２】
係合部１１３はフード部１１１の上壁の後端部から下方に突出している。係合部１１３は前面が上下方向に沿ってほぼ真っ直ぐな面とされるのに対し、後面が後方へ向かって上り勾配をなすテーパ面とされている。
ロックアーム１２３は雌コネクタ１０３の端子収容部１２１の上面に設けられており、前後方向に細長い形状をなしている。ロックアーム１２３は前端部が連結部１２４を介して端子収容部１２１の上面に連結されており、連結部１２４が支点となって上下に弾性変形可能とされている。
【００４３】
ロックアーム１２３の上面には係合部１１３に係合する突起１２５が一体に設けられている。突起１２５は後面が上下方向に沿ってほぼ真っ直ぐな面とされるのに対し、前面が前方へ向かって下り勾配をなすテーパ面とされている。また、ロックアーム１２３は雄コネクタ１０２と雌コネクタ１０３とが嵌合された状態において後端部がフード部１１１から後方に出ており、その後端部の上面に押圧操作部１２６が連結されている。作業者は押圧操作部１２６を押圧操作することでロックアーム１２３を下方、すなわちロック解除方向へ向けて弾性変形させることができる。
【００４４】
（１−２）発音部
実施形態２に係る発音部１３０も空気袋１３１及び鳴動部１３２を備えている。空気袋１３１及び鳴動部１３２の構成は実施形態１に係る空気袋４４及び鳴動部４５の構成と実質的に同一である。図６に示すように、空気袋１３１はロックアーム１２３の下方に設けられており、端子収容部１２１の上面に接着剤などによって固定されている。作業者が押圧操作部１２６を下方に押し込むと空気袋１３１がロックアーム１２３によって押圧され、鳴動部１３２が鳴動する。
【００４５】
ただし、図６に示すように、実施形態２に係る発音部１３０は、コネクタ装置１０１の製造メーカから車両メーカにコネクタ装置１０１が出荷される時点では鳴動部１３２の空気吹き出し口が開封可能な封口部材１３３によって塞がれている。具体的には、本実施形態に係る封口部材１３３は紙やビニールなどで形成されたシートであり、そのシートが空気吹き出し口に貼り付けられることによって塞がれている。
【００４６】
そして、図７に示すように、雄コネクタ１０２と雌コネクタ１０３とが嵌合された後に作業者によって封口部材１３３が剥がされたり、あるいは封口部材１３３に穴が開けられたりすることによって封口部材１３３が開封される。
【００４７】
（２）実施形態の効果
以上説明した実施形態２に係るコネクタ装置１０１によると、鳴動部１３２の空気吹き出し口が開封可能な封口部材１３３によって塞がれている。仮に空気吹き出し口が塞がれていないとすると、コネクタ装置１０１の出荷先の工場で作業者が雄コネクタ１０２と雌コネクタ１０３とを嵌合させる際にも発音部１３０が発音してしまい、騒音となってしまう。
【００４８】
これに対し、コネクタ装置１０１によると、空気吹き出し口が封口部材１３３によって塞がれているので、出荷先の工場で雄コネクタ１０２と雌コネクタ１０３とを嵌合させる際には発音部１３０が発音せず、騒音を抑制できる。そして、それらを嵌合させた後に封口部材１３３を開封することにより、雄コネクタ１０２と雌コネクタ１０３との嵌合が解除される際には発音部１３０が発音するようにすることができる。
【００４９】
＜他の実施形態＞
本明細書によって開示される技術は上記記述及び図面によって説明した実施形態に限定されるものではなく、例えば次のような実施形態も本明細書によって開示される技術的範囲に含まれる。
【００５０】
（１）上記実施形態に記載した雄コネクタや雌コネクタの形状は一例であり、雄コネクタや雌コネクタの形状はこれらに限定されるものではない。雄コネクタや雌コネクタの形状は任意の形状であってよい。
【００５１】
（２）上記実施形態では少なくとも雄コネクタと雌コネクタとの嵌合が解除される際に動く可動部材としてロックアームを例に説明したが、可動部材はこれに限られない。
例えば、可動部材は雄コネクタと雌コネクタとの間に設けられているバネであってもよい。具体的には、雄コネクタの内側にバネを設け、雄コネクタに雌コネクタを挿入するとバネが圧縮されて雌コネクタが反嵌合方向に押し返され、バネの付勢力に抗して更に雌コネクタを押し込むと雄コネクタと雌コネクタとがロックされる構成であってもよい。この場合、雄コネクタと雌コネクタとの嵌合を解除すると圧縮されたバネが自然長に復帰するように動くことになる。その復帰しようとするバネの動きによって空気袋を押圧することによって鳴動部が鳴動する構成であってもよい。
【００５２】
あるいは、雌コネクタ又は雄コネクタにスライド部材を設け、雌コネクタを雄コネクタから引き抜く際にそのスライド部材がスライドして空気袋を押圧する構成であってもよい。
【００５３】
（３）上記実施形態では可動部材の動きに応じて発音部が発音する場合を例に説明したが、発音部は可動部材の動きに応じて発音するものでなくてもよい。例えば、雌コネクタの端子収容部の外面に突起を設け、雌コネクタを雄コネクタから引き抜く際に空気袋がその突起に押圧されて空気を吹き出し、それによって鳴動部が鳴動する構成であってもよい。
【００５４】
（４）上記実施形態では鳴動部として空気袋の開口縁部から延出する二枚のゴム板を例に説明したが、鳴動部は吹き出された空気によって鳴動する笛であってもよい。また、上記実施形態では吹き出される空気によって発音する発音部を例に説明したが、発音部はアンプやスピーカなどによって電気的に発音するものであってもよい。
【００５５】
（５）上記実施形態では通信ネットワーク４Ａに接続する機器としてゲートウェイ５を例に説明したが、機器は通信ネットワーク４Ａを介して車両の他の機器と通信するものであればゲートウェイ５に限られるものではない。例えば、コネクタ装置はＥＣＵ７などの車載装置と通信ネットワーク４Ａとを接続するものであってもよい。その場合は車載装置が機器の一例である。
【００５６】
（６）上記実施形態ではコネクタ装置としてゲートウェイ５と通信ネットワーク４Ａとを接続するものを例に説明したが、コネクタ装置は機器と電源とを接続するものであってもよい。その場合は、雄コネクタと雌コネクタとの嵌合が不正に解除されて機器そのものが盗まれてしまう可能性を低減することができる。
【符号の説明】
【００５７】
１…コネクタ装置、２…雄コネクタ、３…雌コネクタ、５…ゲートウェイ（機器）、７…ＥＣＵ（車両の他の機器）、８…通信ケーブル、２３…係合部、３７…ロックアーム（可動部材及びロック部材）、４３…発音部、４４…空気袋、４５…鳴動部、１０１…コネクタ装置、１０２…雄コネクタ、１０３…雌コネクタ、１１３…係合部、１２３…ロックアーム（可動部材及びロック部材）、１３０…発音部、１３１…空気袋、１３２…鳴動部、１３３…封口部材
【図１】
2017033744.tif 000003
【図２】
2017033744.tif 000004
【図３】
2017033744.tif 000005
【図４】
2017033744.tif 000006
【図５】
2017033744.tif 000007
【図６】
2017033744.tif 000008
【図７】
2017033744.tif 000009